(57)【要約】【課題】人が感電することなく所望の位置で通り抜けることができると共に、電圧状態を容易に確認できる電気柵を提供する。【解決手段】所定領域の周囲に形成された導電部材と、導電部材と電気的に接続されると共に、導電部材に第１の電圧を印加する第１の電圧発生回路と、導電部材と電気的に接続されると共に、第１の電圧よりも低い電圧値を有する第２の電圧が導電部材に印加された場合に第１の電圧よりも低い電圧値を有する第３の電圧を導電部材に印加する第３の電圧発生回路と、導電部材に着脱可能にかつ電気的に接続されると共に、第１の電圧が印加された導電部材に接続された場合に告知する第１の告知手段と、第２の電圧を発生可能な第２の電圧発生手段と、第２の電圧発生手段が第２の電圧を発生させた場合に告知する第２の告知手段とを有する告知器とを備える電気柵。【選択図】図１
2013042746.tif 000002
【特許請求の範囲】
【請求項１】
所定領域の周囲に形成された導電部材と、
該導電部材と電気的に接続されると共に、同導電部材に第１の電圧を印加する第１の電圧発生回路と、
前記導電部材と電気的に接続されると共に、前記第１の電圧よりも低い電圧値を有する第２の電圧が前記導電部材に印加された場合に前記第１の電圧よりも低い電圧値を有する第３の電圧を前記導電部材に印加する第３の電圧発生回路と、
前記導電部材に着脱可能にかつ電気的に接続されると共に、前記第１の電圧が印加された前記導電部材に接続された場合に告知する第１の告知手段と、前記第２の電圧を発生可能な第２の電圧発生手段と、該第２の電圧発生手段が前記第２の電圧を発生させた場合に告知する第２の告知手段とを有する告知器とを備える
電気柵。
【請求項２】
前記第１の告知手段は、前記第３の電圧が前記導電部材に印加された場合に、前記第１の電圧が印加された前記導電部材に接続されたときと異なる態様で告知する
請求項１に記載の電気柵。
【請求項３】
前記告知器は、前記第３の電圧が前記導電部材に印加された場合に告知する第３の告知手段を有する
請求項１または請求項２に記載の電気柵。
【請求項４】
前記第１の告知手段は、音声を発して告知する手段である
請求項１〜３のいずれか１つに記載の電気柵。
【請求項５】
前記告知器は、前記導電部材に引掛けられるフック形状の引掛け部と、
地面に接地される接地部とを有する
請求項１〜４のいずれか１つに記載の電気柵。
【発明の詳細な説明】
【技術分野】
【０００１】
本発明は電気柵に関する。詳しくは、例えば野生動物から田畑を守るための電気柵に係るものである。
【背景技術】
【０００２】
山間地域の農村地帯では、鹿や猪などの野生動物が田畑へ侵入することを防止するために、電気柵が多く使用されている。
【０００３】
電気柵は、田畑の周囲に張り巡らせた裸電線に、電源装置内の電圧発生器から発生した電圧が印加され、この裸電線に接触した鹿や猪などの野生動物を、印加された電圧の電撃によって撃退するための柵である。
【０００４】
図５に従来の電気柵を示す。
図５に示すように、従来の電気柵１００は、田畑の周囲に打設された支柱１０２に取り付けられた碍子（１０１ａ〜１０１ｄ）に係止されて張設された裸電線（１０３ａ〜１０３ｄ）を備える。
【０００５】
また、裸電線（１０３ａ〜１０３ｄ）は、約５０ｍごとに裸電線からなる上下結線１０４で結線される。
【０００６】
さらに、裸電線（１０３ａ〜１０３ｄ）のうち地表に一番近い１段目の裸電線１０３ｄは、地表から約２０ｃｍの高さに位置しており、２段目の裸電線１０３ｃは裸電線１０３ｄから上方へ約２０ｃｍの高さに位置しており、３段目の裸電線１０３ｂは裸電線１０３ｃから上方へ約４０ｃｍの高さに位置しており、４段目の裸電線１０３ａは裸電線１０３ｂから上方へ約５０ｃｍの高さに位置する。
【０００７】
また、張設された裸電線（１０３ａ〜１０３ｄ）に印加される所定の電圧を発生する電圧発生器を有する電源装置１０５が、裸電線１０３ｃに電気的に接続されている。
【０００８】
鹿や猪などが、このような電気柵１００で囲まれた田畑に侵入しようとして、張設された裸電線（１０３ａ〜１０３ｄ）に接触すると、鹿や猪などには、図５の矢印のように電源装置１０５の出力端子１０６、電源装置１０５の出力線１０７、裸電線１０３ｃ、上下結線１０４、裸電線（１０３ａ、１０３ｂおよび１０３ｄ）、鹿や猪などの野生動物１０８、地中１０９、アース棒１１０、アース線１１１、そしてアース端子１１２の順路で、動物や人間などに、衝撃を与えることができるほど高い電流（衝撃電流）が流れる。
【０００９】
これによって、鹿や猪などの野生動物１０８は、電撃を受けて撃退される。
【００１０】
ところで、この電気柵１００への通電中に、田畑に人が入る必要が発生する場合がある。それは、除草や施肥、その他の場合である。この場合、通電中の数段の裸電線（１０３ａ〜１０３ｄ）の隙間を掻い潜り、田畑に入らなければならない。しかし、当然ながら図６に示すように、人は裸電線（１０３ａ〜１０３ｄ）に接触するので、電撃を受けてしまい容易に田畑へ入ることができない。
【００１１】
そこで、通電中に人が田畑へ入るために、図７に示すようなゲートと呼ばれる器具が使用される場合がある。
【００１２】
図７に示すように、絶縁性の材料で筒状に形成された器具１２０の略中央部に長手方向に挿通された導電線の一端は、フック状に加工された金属片１２１に電気的に接続されている。
【００１３】
また、フック状の金属片１２１は、受金具１２５に引っ掛けられて、その受金具１２５は裸電線１２６に電気的に接続されている。
【００１４】
また、導電線の他端は、円状に加工された金属片１２２に電気的に接続されている。また、円状の金属片１２２には、螺旋状のスプリング１２３が取付けられ、そのスプリング１２３には裸電線１２４が接続されている。
【００１５】
このようにして、裸電線１２６と裸電線１２４は、ゲートを介して電気的に接続された状態である。
また、図８に示すように、ゲートは、張設された裸電線（１０３ａ〜１０３ｄ）の各段に取付けられている。
【００１６】
次に、ゲートの使用法は以下のとおりである。
人が田畑に侵入しようとする場合、図９に示すように、絶縁性の材料で筒状に形成された器具１２０を手で握り、フック状の金属片１２１を受金具１２５から取り外し、通電を遮断する。
【００１７】
そして、図９に示すように、ゲートが取外された場所から、人は田畑へ侵入する。
【００１８】
また、例えば特許文献１には、図１０に示すような電気柵の出入り口が記載されている。即ち、特許文献１に記載された電気柵の出入り口の構成は、次のとおりである。
【００１９】
一対の本体支柱（２０３Ａ、２０３Ｂ）の一方の本体支柱２０３Ａに、ネット２０２を張った本体枠（２０１Ａ〜２０１Ｄ）を構成する左右枠の一方の枠２０１Ｃを蝶着部（２０４Ａ、２０４Ｂ）により開閉可能に支持し、他方の本体支柱２０３Ｂに、左右枠の他方の枠２０１Ａを固定する手段２０５が設けられている。
【００２０】
また、左右枠（２０１Ａ、２０１Ｃ）の上部の裸電線（２０８Ａ〜２０８Ｄ）は、蝶着部（２０４Ａ、２０４Ｂ）を設けた左右枠の一方の枠２０１Ｃ側の裸電線（２０９Ａ〜２０９Ｄ）と給電用電線（２１０Ａ〜２１０Ｄ）によって電気的に接続する。
【００２１】
また、特許文献１に記載の電気柵の出入り口の使用法は以下のとおりである。
本体枠２０１Ａを固定する手段２０５の固定を解除し、本体枠を手前に引けば、蝶着部（２０４Ａ、２０４Ｂ）を軸に本体枠２０１が開き、自由に出入りができる。閉めるときは、本体枠２０１を閉じた後、本体枠２０１Ａを再度、固定する手段２０５で固定する。
【先行技術文献】
【特許文献】
【００２２】
【特許文献１】特開平１１−２０６３０５号公報
【発明の概要】
【発明が解決しようとする課題】
【００２３】
このように、従来の電気柵では、ゲートを取外したり、本体枠を開いたりして、電気柵で囲まれた田畑に人が感電することなく侵入できるが、感電せずに侵入できるのは、ゲートや出入り口（以下、「ゲート等」）の設置場所からだけであり、任意の場所から田畑へ侵入することができなかった。
【００２４】
また、周囲５００ｍに張り巡らされた電気柵において、ゲート等の設置箇所は通常２〜３箇所である。
【００２５】
この場合、田畑の任意の場所に侵入するには、ゲート等の設置箇所まで移動し、ゲートの接続を図９のように解除したり、本体枠の固定を解除したりして、その位置から田畑に侵入し、除草等の作業終了後、ゲート等から電気柵の外に出て、再び、ゲートの接続や本体枠の固定を行なわなければならない。
【００２６】
従って、電気柵で囲まれた田畑への侵入に時間と労力がかかり、不便である。
【００２７】
また、ゲート等の設置箇所を増やすことも考えられるが、ゲート等の設置箇所を増やすと、費用が増大してしまい、さらに、碍子（１０１ａ〜１０１ｄ）に裸電線（１０３ａ〜１０３ｄ）を係止する場合に比べて、ゲート等の設置には多くの手間がかかる。
【００２８】
また、ゲート等を全く使用しない場合もあり、この場合はさらに不便である。
この場合、田畑の任意の場所に侵入するには、電気柵１００の裸電線（１０３ａ〜１０３ｄ）に沿って、電源装置１０５の設置場所まで移動し、電源装置１０５の電源スイッチをオフにして通電を止める。
【００２９】
その後、侵入すべき場所に戻り、数段の裸電線（１０３ａ〜１０３ｄ）の隙間を掻い潜り、田畑へ侵入する。除草作業等の終了後、再び数段の裸電線（１０３ａ〜１０３ｄ）の隙間を掻い潜り、電気柵１００の外に出て、更に、電源装置１０５の設置場所まで移動し、電源装置１０５の電源スイッチをオンにしなければならない。
【００３０】
このように、従来の電気柵は、人が感電せずに電気柵を通り抜けるためには、ゲート等の設置箇所や電源装置の設置箇所まで、わざわざ移動しなければならず不便であったので、任意の箇所において人が感電せず通り抜けることができる電気柵が求められていた。
また、電気柵の柵線に衝撃電圧が印加されているかどうかを容易に確認したいという要求もあった。
【００３１】
本発明は、以上の点に鑑みて創案されたものであり、人が感電することなく所望の位置で通り抜けることができると共に、電圧状態を容易に確認できる電気柵を提供することを目的とする。
【課題を解決するための手段】
【００３２】
上記の目的を達成するために、本発明の電気柵は、所定領域の周囲に形成された導電部材と、該導電部材と電気的に接続されると共に、同導電部材に第１の電圧を印加する第１の電圧発生回路と、前記導電部材と電気的に接続されると共に、前記第１の電圧よりも低い電圧値を有する第２の電圧が前記導電部材に印加された場合に前記第１の電圧よりも低い電圧値を有する第３の電圧を前記導電部材に印加する第３の電圧発生回路と、前記導電部材に着脱可能にかつ電気的に接続されると共に、前記第１の電圧が印加された前記導電部材に接続された場合に告知する第１の告知手段と、前記第２の電圧を発生可能な第２の電圧発生手段と、該第２の電圧発生手段が前記第２の電圧を発生させた場合に告知する第２の告知手段とを有する告知器とを備える。
【００３３】
ここで、導電部材と電気的に接続されると共に、第１の電圧よりも低い電圧値を有する第２の電圧が導電部材に印加された場合に第１の電圧よりも低い電圧値を有する第３の電圧を導電部材に印加する第３の電圧発生回路によって、任意の場所で第２の電圧を印加するだけで、導電部材に印加された第１の電圧よりも低い電圧値を有する第３の電圧を導電部材に印加するので、第１の電圧よりも低い電圧値を有する第３の電圧が印加された導電部材に人が触れても、柵内に入ったり柵から出たりすることができる。
【００３４】
また、告知器が、導電部材に着脱可能にかつ電気的に接続されるので、導電部材の所望の位置に告知器を接続することができる。
また、告知器が、第１の電圧が印加された導電部材に接続された場合に告知する第１の告知手段を有するので、導電部材に第１の電圧が印加されているかどうかを知ることができる。
【００３５】
また、告知器が、第２の電圧を発生可能な第２の電圧発生手段を有するので、告知器を導電部材に電気的に接続させて第２の電圧を導電部材に印加し、第３の電圧発生回路に第３の電圧を導電部材に印加させることができる。
また、告知器が、第２の電圧発生手段が第２の電圧を発生させた場合に告知する第２の告知手段を有するので、第２の電圧の発生を知ることができ、延いては、告知器が導電部材に接続された状態において、導電部材に第３の電圧が印加されていることを知ることができる。
【００３６】
また、本発明の電気柵において、第１の告知手段は、第３の電圧が導電部材に印加された場合に、第１の電圧が印加された導電部材に接続されたときと異なる態様で告知する場合、第１の電圧が導電部材に印加されている状態と、第３の電圧が導電部材に印加されている状態とを区別することができる。
【００３７】
また、本発明の電気柵において、告知器は、第３の電圧が導電部材に印加された場合に告知する第３の告知手段を有するものとすることができる。
【００３８】
また、本発明の電気柵において、第１の告知手段は、音声を発して告知する手段である場合、例えば発光して告知する手段では発光を見落としてしまうこともあり、発光して告知する手段よりも、人に、第１の電圧が導電部材に印加されていることを気付かせやすい。
【００３９】
また、本発明の電気柵において、告知器は、導電部材に引掛けられるフック形状の引掛け部と、地面に接地される接地部とを有するものとすることができる。
この場合、フック形状の引掛け部を導電部材に引掛けるだけで、告知器を導電部材に着脱可能にかつ電気的に接続させることができる。
【発明の効果】
【００４０】
本発明に係る電気柵は、人が感電することなく所望の位置で通り抜けることができると共に、電圧状態を容易に確認できる。
【図面の簡単な説明】
【００４１】
【図１】本発明の電気柵において柵線に告知器が接続される前の回路図の一例を示す概略図である。
【図２】本発明の電気柵において柵線に告知器が接続されたときの回路図の一例を示す概略図である。
【図３】本発明の電気柵において柵線に告知器が接続されて告知器の電源をＯＮにしたときの回路図の一例を示す概略図である。
【図４】図３に示す状態の後に告知器の電源をＯＦＦにしたときの回路図の一例を示す概略図である。
【図５】従来の電気柵の設置態様を示す概略図である。
【図６】人が通電中の従来の電気柵を掻い潜る様子を示す概略図である。
【図７】従来の電気柵に使用されるゲートの構成を示す概略図である。
【図８】図７に示されたゲートを使用した従来の電気柵を示す概略図である。
【図９】従来の電気柵のゲートが取外された状態を示す概略図である。
【図１０】従来の電気柵の出入り口の構成を示す概略図である。
【発明を実施するための形態】
【００４２】
以下、本発明の実施の形態について図面を参照しながら説明し、本発明の理解に供する。
図１は、本発明の電気柵において柵線に告知器が接続される前の回路図の一例を示す概略図である。
【００４３】
図１において、本発明の電気柵１は、所定領域（例えば、田畑領域）の周囲に立設された支柱に張設された柵線（導電部材の一例である。）３１を備える。ここで、柵線３１は、裸電線である。
【００４４】
また、図示していないが、柵線３１は、４本の裸電線で構成されており、４本の裸電線は互いに所定の長さで離して略平行に張設されている。
【００４５】
また、本発明の電気柵１は、出力端子１６を介して柵線３１と電気的に接続されると共に、柵線３１に衝撃電圧（第１の電圧）を印加する衝撃電圧発生回路（第１の電圧発生回路）１４を備える。
【００４６】
また、本発明の電気柵１は、出力端子１６を介して柵線３１と電気的に接続されると共に、第１の電圧よりも低い電圧値を有する衝撃電圧停止命令電圧（第２の電圧）が柵線３１に印加された場合に第１の電圧よりも低い電圧値を有する報知電圧（第３の電圧）を柵線３１に印加する報知電圧発生回路（第３の電圧発生回路）２６を備える。
【００４７】
また、本発明の電気柵１は、柵線３１に着脱可能にかつ電気的に接続されると共に、第１の電圧が印加された柵線３１に接続された場合に音を発するブザー（第１の告知手段の一例である。）３と、第２の電圧を発生可能な停止命令電圧発生回路（第２の電圧発生手段の一例である。）５と、停止命令電圧発生回路５が第２の電圧を発生させた場合に発光するＬＥＤ（第２の告知手段の一例である。）４とを有する告知器２を備える。
【００４８】
また、告知器２は、柵線３１に引掛けられるフック形状の引掛け部１０と、導電性材料で形成されると共に地面に接地される接地部１１とを有する。
接地部１１を地面に接触させ、そして告知器２の引掛け部１０を柵線３１に引掛けて接触させて、柵線３１と地面間を接地しながら、告知器２から第２の電圧を柵線３１に印加する。
【００４９】
停止命令電圧発生回路５は、ＬＥＤ４や電源スイッチ７に接続されている。
また、電源スイッチ７は、９Ｖの電源６に直列に接続されている。
【００５０】
また、ブザー３は、第１の信号延長部８に直列に接続されている。
また、第１の信号延長部８は、第１抵抗器Ｒ１と第２抵抗器Ｒ２の間に接続されている。
【００５１】
また、第１抵抗器Ｒ１及び第２抵抗器Ｒ２は、サージアブソーバ（サージ防護デバイス）９に並列に接続されている。ここで、第１抵抗器Ｒ１の抵抗値は、第２抵抗器Ｒ２の抵抗値よりも大きい。
【００５２】
また、電源装置１２は、衝撃電圧発生回路１４と、報知電圧発生回路２６と、１２Ｖの電源２７と、電源スイッチ２８を有する。
【００５３】
また、衝撃電圧発生回路１４と報知電圧発生回路２６は、互いに並列に接続されており、どちらも出力変圧器１５に接続されている。
【００５４】
また、出力変圧器１５の二次巻線の巻終わり１５Ａは、出力端子１６を介して柵線３１に接続されている。
また、出力変圧器１５の二次巻線の巻始め１５Ｂは、サージアブソーバ１７の一端に接続され、サージアブソーバ１７の他端は接地されている。
【００５５】
また、サージアブソーバ１７の他端には、保護回路２９が接続され、さらに保護回路２９に直列に増幅回路３０が接続されている。
また、増幅回路３０に直列に第２の信号延長部１８が接続されている。
【００５６】
また、第２の信号延長部１８に直列に充放電回路１９が接続されている。また、充放電回路１９は、互いに並列に接続された、第５抵抗器Ｒ５と第６抵抗器Ｒ６を有している。
【００５７】
また、充放電回路１９に、直列に第１判定部２０が接続されている。ここで、第１判定部２０のマイナス端子が充放電回路１９に接続されている。
【００５８】
また、第１判定部２０に第１トランジスタ２１が接続されている。
また、第１トランジスタ２１に、第４抵抗器Ｒ４の一端が接続されており、第４抵抗器Ｒ４の他端に、第２トランジスタ２２と、第２判定部２３と、第３抵抗器Ｒ３とが接続されている。
ここで、第２判定部２３のプラス端子が第４抵抗器Ｒ４の他端に接続されている。
【００５９】
また、第２トランジスタ２２と第３抵抗器Ｒ３は互いに並列に接続されている。
また、第２トランジスタ２２と第３抵抗器Ｒ３との接続点には、電源スイッチ２８の一端が接続されており、電源スイッチ２８の他端は、１２Ｖの電源２７に接続されている。
【００６０】
また、第２トランジスタ２２に、発振回路１３が接続されている。
また、発振回路１３に衝撃電圧発生回路１４が直列に接続されている。
【００６１】
また、第２トランジスタ２２と第３抵抗器Ｒ３との接続点には、第４トランジスタ２５が接続されており、また、第４トランジスタ２５は、報知電圧発生回路２６と第３トランジスタ２４にも接続されている。
また、第３トランジスタ２４は、第２判定部２３に接続されている。
【００６２】
また、図面では、電源や電源スイッチが、告知器や電源装置の内部に配置されているように示されているが、図面は、告知器や電源装置が、電源や電源スイッチを有することを概略的に示しているだけであり、電源や電源スイッチが、告知器や電源装置の外部に配置されていてもよいことは勿論である。
【００６３】
次に、本発明の電気柵の動作を説明する。
図１に示すように、電源装置１２の電源スイッチ２８が「オン」であり、告知器２を柵線３１に接続していない場合、柵線３１には、停止命令電圧発生回路５からの衝撃電圧停止命令電圧（第２の電圧）は与えられていない。
【００６４】
また、電源装置１２の電源スイッチ２８が「オン」になっているので、衝撃電圧発生回路１４には電源２７の電圧が印加され、第１の電圧が発生する。そして、柵線３１には、衝撃電圧発生回路１４からの衝撃電圧（第１の電圧）のみが与えられている。
【００６５】
また、柵線３１に印加される第１の電圧は、１．１秒間隔で発生するパルス状の電気であり、無負荷時の電圧は１万Ｖ、周期は１．１秒である。
【００６６】
発生した第１の電圧は、柵線３１に印加され、野生動物などが柵線３１に接触すると、野生動物は衝撃を受け退散する。
また、人も、柵線３１に接触すると衝撃を受けるので、裸電線の間を掻い潜って柵内に侵入できない。
【００６７】
また、電源装置１２において、出力変圧器１５から流れてきた電気の電圧は、保護回路２９で一旦下げられる。そして、下げられた電圧は、増幅回路３０で１０Ｖ前後に戻される。次に、１０Ｖ前後に戻された電圧（１．１秒／１回）は、第２の信号延長部１８にかかる。
【００６８】
また、第２の信号延長部１８において、電圧がかかる時間が０．２秒間延長され、充放電回路１９の入力部には、１．１秒のうち、始めの０．２秒間は１０Ｖ前後の電圧がかかるので、第５抵抗器Ｒ５を通して０．２秒間はコンデンサ１９Ａに充電される。
なお、ダイオードの向きにより、第６抵抗器Ｒ６を通ってのコンデンサ１９Ａへの充電はない。
【００６９】
次に、充放電回路１９の入力部には、０．２秒を過ぎてからの０．９秒間は電圧がかからないので、充放電回路１９の入力部は、０．９秒間、０Ｖである。
すると、コンデンサ１９Ａに充電された電気は、電位差により０Ｖである入力部へと一気に放電される。放電の経路は、第５抵抗器Ｒ５と第６抵抗器Ｒ６を通る経路である。
【００７０】
一気に放電されることにより、充放電回路１９で電圧が第１判定部２０の基準値（８Ｖ）を超えることはない。
【００７１】
また、第１判定部２０の基準値（８Ｖ）を超えないので、第１判定部２０の演算増幅器（オペアンプ）の入力部には、「Ｌ」（ロウ）の信号電圧がかかることになる。
また、第１判定部２０のオペアンプは、入力部に「Ｌ」の信号電圧がかかれば、出力部で「Ｈ」（ハイ）の信号電圧を出力するものであるが、ここでは、入力部に「Ｌ」の信号電圧がかかるので、出力部で「Ｈ」の信号電圧を出力する。
【００７２】
また、第１判定部２０が「Ｈ」の信号電圧を出力するので、第１トランジスタ２１が作動する。
また、第１トランジスタ２１が作動するので、第２トランジスタ２２や発振回路１３も作動する。
【００７３】
また、第２判定部２３のオペアンプの入力部には、第３抵抗器Ｒ３と第４抵抗器Ｒ４のうち、第４抵抗器Ｒ４に分圧された低い電圧（Ｌ）の信号電圧がかかる。
なお、第３抵抗器Ｒ３の方が、第４抵抗器Ｒ４よりも抵抗値が大きい。
【００７４】
また、第２判定部２３のオペアンプは、入力部に「Ｈ」の信号電圧がかかれば、出力部で「Ｈ」の信号電圧を出力するものであるが、ここでは、入力部に「Ｌ」の信号電圧がかかるので、出力部で「Ｌ」の信号電圧を出力する。
【００７５】
また、第２判定部２３はＬの信号電圧を出力するので、第３トランジスタ２４は作動せず、さらには第４トランジスタ２５も作動しない。
【００７６】
また、第４トランジスタ２５が作動しないので、第４トランジスタ２５に接続された報知電圧発生回路２６も作動せず、当然ながら報知電圧（第３の電圧）も発生していない。
【００７７】
また、告知器２の電源スイッチ７は「オフ」なので、停止命令電圧発生回路５は作動していない。
また、停止命令電圧発生回路５が作動していないので、第２の電圧は発生しておらず、その結果、ＬＥＤ４も発光しない。
【００７８】
また、告知器２の引掛け部１０は柵線３１に接続されていないので、第１抵抗器Ｒ１及び第２抵抗器Ｒ２に電圧がかからない。よって、第１の信号延長部８及びブザー３にも電圧がかからず、ブザー３は作動しない。
【００７９】
次に、図２に示すように、接地部１１を地面に接触させて、告知器２のフック形状の引掛け部１０を柵線３１に引掛ける。
すると、柵線３１に印加されている第１の電圧が引掛け部１０にかかる。
【００８０】
また、第１抵抗器Ｒ１及び第２抵抗器Ｒ２は、サージアブソーバ９に並列に接続されているので、サージアブソーバ９と分圧とにより、第１の信号延長部８の基準値（４．５Ｖ）を超える電圧が、第２抵抗器Ｒ２に１．１秒に１回かかる。
【００８１】
また、第１の信号延長部８において、第１の信号延長部８の基準値（４．５Ｖ）を超える電圧がかかる時間が０．３秒延長される。
そして、延長された０．３秒間、ブザー３が発音し、０．８秒間、非発音となる。このような断続音が、引掛け部１０を柵線３１に接続している状態で、告知器２の電源スイッチ７を「オン」にするまで繰り返される。
【００８２】
このように、第１の電圧が印加された柵線３１に、告知器２の電源スイッチ７を「オフ」にしたままで引掛け部１０を接続すると、告知器２のブザー３が断続音を発するので、柵線３１に第１の電圧が印加されていることが判り、人は、この状態で柵内に入れないことを認識できる。
【００８３】
次に、図３に示すように、告知器２の電源スイッチ７を「オン」にすると、停止命令電圧発生回路５は、９Ｖの第２の電圧を発生させる。
また、第２の電圧が発生すると、ＬＥＤ４が点滅する。
【００８４】
また、引掛け部１０には、１万Ｖの第１の電圧（１．１秒に１回）と、９Ｖの第２の電圧（０．１秒に１回）が重なってかかっている。
【００８５】
また、第１の電圧と第２の電圧がかかっているが、サージアブソーバ９と分圧とによって、第１の信号延長部８の基準値（４．５Ｖ）を超えるのは、第１の電圧に基づく電圧（約５Ｖ、１．１秒に１回）だけである。
【００８６】
そして、第１の信号延長部８において、第１の電圧に基づく電圧（約５Ｖ、１．１秒に１回）がかかる時間が０．３秒延長される。
その結果、１．１秒間のうち、延長された０．３秒間、ブザー３が発音し、０．８秒間、非発音となる。
【００８７】
しかし、９Ｖの第２の電圧を発生させて２〜３秒経過すると、引掛け部１０には、９Ｖの第２の電圧（０．１秒に１回）と、電源装置１２の報知電圧発生回路２６から印加された３００Ｖの第３の電圧（０．２５秒に１回）が重なってかかるようになる。
つまり、柵線３１には、人が柵線３１に接触しても電撃を感じない程度の電圧しか印加されていないことになる。
【００８８】
ここで、第２の電圧と第３の電圧がかかっているが、サージアブソーバ９と分圧とによって、第１の信号延長部８の基準値（４．５Ｖ）を超えるのは、第３の電圧に基づく電圧（約５Ｖ、０．２５秒に１回）だけである。
【００８９】
そして、第１の信号延長部８において、第３の電圧に基づく電圧（約５Ｖ、０．２５秒に１回）がかかる時間が０．３秒延長される。
また、第３の電圧に基づく電圧は、０．２５秒に１回、第１の信号延長部８に入ってくるので、延長された０．３秒間が終わる前に、第３の電圧に基づく電圧が入ってくることになり、ブザー３は非発音の状態がなく、連続音を発することなる。
【００９０】
一方、電源装置１２の出力端子１６には、１万Ｖの第１の電圧（１．１秒に１回）と、９Ｖの第２の電圧（０．１秒に１回）が重なってかかっている。
【００９１】
また、第１の電圧と第２の電圧がかかっているが、サージアブソーバ１７と分圧とによって、保護回路２９に入る電圧は、２２Ｖの電圧（１．１秒に１回）と、９Ｖの電圧（０．１秒に１回）である。
そして、保護回路２９を出るときには、１０Ｖの電圧（１．１秒に１回）と、１Ｖの電圧（０．１秒に１回）になる。
【００９２】
次に、増幅回路３０に入るときは、１０Ｖの電圧（１．１秒に１回）と、１Ｖの電圧（０．１秒に１回）であるが、増幅回路３０を出るときは、１０Ｖ前後の電圧（１．１秒に１回）と、１０Ｖ前後の電圧（０．１秒に１回）になる。
【００９３】
さらに、第２の信号延長部１８に入るときは、１０Ｖ前後の電圧（１．１秒に１回）と、１０Ｖ前後の電圧（０．１秒に１回）であるが、第２の信号延長部１８を出るときは、０Ｖになることなく、連続した１０Ｖ前後の電圧となる。
【００９４】
その結果、充放電回路１９の入力部には、１０Ｖ前後の電圧がかかり続けるので、電気は、第５抵抗器Ｒ５を通してコンデンサ１９Ａに充電される。
また、コンデンサ１９Ａに充電された電気の電圧は、２〜３秒すると第１判定部２０の基準値（８Ｖ）を超える。
【００９５】
そして、第１判定部２０の基準値（８Ｖ）を超えるので、第１判定部２０のオペアンプの入力部には、「Ｈ」の信号電圧がかかることになる。
第１判定部２０のオペアンプは、入力部に「Ｌ」の信号電圧がかかれば、出力部で「Ｈ」の信号電圧を出力するものであるが、ここでは、入力部に「Ｈ」の信号電圧がかかるので、出力部で「Ｌ」の信号電圧を出力する。
【００９６】
また、第１判定部２０が「Ｌ」の信号電圧を出力するので、第１トランジスタ２１は作動しなくなる。
また、第１トランジスタ２１が作動しなくなるので、第２トランジスタ２２や発振回路１３も作動しなくなる。
【００９７】
さらに、発振回路１３が作動しなくなるので、衝撃電圧発生回路１４も作動しなくなり、衝撃電圧（第１の電圧）も発生しなくなる。
【００９８】
また、第１トランジスタ２１と第２トランジスタ２２は作動していないので、第１トランジスタ２１と第２トランジスタ２２の間には電気は流れない。
しかし、１２Ｖの電源２７の電圧が、第２判定部２３のオペアンプの入力部にかかってくる、即ち、「Ｈ」の信号電圧がかかってくる。
【００９９】
また、第２判定部２３のオペアンプは、入力部に「Ｈ」の信号電圧がかかれば、出力部で「Ｈ」の信号電圧を出力するものであるが、ここでは、入力部に「Ｈ」の信号電圧がかかるので、出力部で「Ｈ」の信号電圧を出力する。
【０１００】
また、第２判定部２３は「Ｈ」の信号電圧を出力するので、第３トランジスタ２４は作動し、さらに第４トランジスタ２５も作動する。
【０１０１】
また、第４トランジスタ２５が作動するので、第４トランジスタ２５に接続された報知電圧発生回路２６も作動し、報知電圧発生回路２６が報知電圧（第３の電圧）を発生させる。
【０１０２】
また、電源装置１２の出力端子１６には、出力変圧器１５から出力された３００Ｖの第３の電圧（０．２５秒に１回）と、告知器２から出力された９Ｖの第２の電圧が重なってかかる。
【０１０３】
また、第２の電圧と第３の電圧がかかっているが、サージアブソーバ１７と分圧とによって、保護回路２９に入る電圧は、２２Ｖの電圧（１．１秒に１回）と、９Ｖの電圧（０．１秒に１回）である。
そして、保護回路２９を出るときには、１０Ｖの電圧（１．１秒に１回）と、１Ｖの電圧（０．１秒に１回）になる。
【０１０４】
次に、増幅回路３０に入るときは、１０Ｖの電圧（１．１秒に１回）と、１Ｖの電圧（０．１秒に１回）であるが、増幅回路３０を出るときは、１０Ｖ前後の電圧（１．１秒に１回）と、１０Ｖ前後の電圧（０．１秒に１回）になる。
【０１０５】
そして、第２の信号延長部１８に入るときは、１０Ｖ前後の電圧（１．１秒に１回）と、１０Ｖ前後の電圧（０．１秒に１回）であるが、第２の信号延長部１８を出るときは、０Ｖになることなく、連続した１０Ｖ前後の電圧となる。
【０１０６】
充放電回路１９のコンデンサ１９Ａには、すでに上限の電気が充電されているので、このような充放電回路１９の入力部に１０Ｖ前後の電圧がかかり続けると、電圧は常に、第１判定部２０の基準値（８Ｖ）を超え続ける。
【０１０７】
従って、告知器２が第２の電圧を柵線３１に印加し続けていれば、報知電圧発生回路２６が報知電圧（第３の電圧）を発生し続ける。
また、第２の電圧が発生すると、ＬＥＤ４が点滅するので、告知器２が柵線３１を介して電源装置１２に第２の電圧を送っていることを確認できる。
また、告知器２のブザー３が発する音が、断続音から連続音に変化するので、第１の電圧が止まったことが判る。そして、人は、感電することなく、安心して柵内に入ることができるようになる。
【０１０８】
また、図４に示すように、告知器２の電源スイッチ７を「オフ」にすると、停止命令電圧発生回路５は作動しなくなり、第２の電圧も発生しなくなる。
そして、第２の電圧が発生していないので、ＬＥＤ４も発光しなくなる。
【０１０９】
第２の電圧が発生しなくなったので、一時的に出力端子１６と、柵線３１と、引掛け部１０には、第３の電圧（３００Ｖ、０．２５秒に１回）がかかるだけになる。
【０１１０】
また、第１抵抗器Ｒ１及び第２抵抗器Ｒ２は、サージアブソーバ９に並列に接続されているので、第３の電圧がかかっているが、サージアブソーバ９と分圧とにより、第１の信号延長部８の基準値（４．５Ｖ）を超える電圧は、第３の電圧に基づく電圧（約５Ｖ、０．２５秒に１回）であり、第３の電圧に基づく電圧（約５Ｖ、０．２５秒に１回）が第２抵抗器Ｒ２にかかる。
【０１１１】
そして、第１の信号延長部８において、第３の電圧に基づく電圧（約５Ｖ、０．２５秒に１回）がかかる時間が０．３秒延長される。
また、第３の電圧に基づく電圧は、０．２５秒に１回、第１の信号延長部８に入ってくるので、延長された０．３秒間が終わる前に、第３の電圧に基づく電圧が入ってくることになり、ブザー３は非発音の時がなく、連続音を発する。
【０１１２】
一方、電源装置１２において、出力変圧器１５から流れてきた電気の電圧は、保護回路２９で一旦下げられる。そして、下げられた電圧は、増幅回路３０で１０Ｖ前後に戻される。次に、１０Ｖ前後に戻された電圧（０．２５秒／１回）は、第２の信号延長部１８にかかる。
【０１１３】
また、充放電回路１９の入力部には、０．２５秒のうち、始めの０．２秒間は１０Ｖ前後の電圧がかかるので、第５抵抗器Ｒ５を通して０．２秒間はコンデンサ１９Ａに充電される。
なお、ダイオードの向きにより、第６抵抗器Ｒ６を通ってのコンデンサ１９Ａへの充電はない。
【０１１４】
次に、充放電回路１９の入力部には、０．２秒を過ぎてからの０．０５秒間は電圧がかからないので、充放電回路１９の入力部は、０．０５秒間、０Ｖである。
すると、コンデンサ１９Ａに充電された電気は、電位差により０Ｖである入力部へと一気に放電される。放電の経路は、第５抵抗器Ｒ５と第６抵抗器Ｒ６を通る経路である。
【０１１５】
一気に放電されることにより、充放電回路１９で電圧が第１判定部２０の基準値（８Ｖ）を超えることはない。
【０１１６】
また、第１判定部２０の基準値（８Ｖ）を超えないので、第１判定部２０のオペアンプの入力部には、「Ｌ」の信号電圧がかかることになる。
また、第１判定部２０のオペアンプは、入力部に「Ｌ」の信号電圧がかかれば、出力部で「Ｈ」の信号電圧を出力するものであるが、ここでは、入力部に「Ｌ」の信号電圧がかかるので、出力部で「Ｈ」の信号電圧を出力する。
【０１１７】
また、第１判定部２０が「Ｈ」の信号電圧を出力するので、第１トランジスタ２１が作動する。
また、第１トランジスタ２１が作動するので、第２トランジスタ２２や発振回路１３も作動する。
【０１１８】
また、第２判定部２３のオペアンプの入力部には、第３抵抗器Ｒ３と第４抵抗器Ｒ４のうち、第４抵抗器Ｒ４に分圧された低い電圧（Ｌ）の信号電圧がかかる。
【０１１９】
そして、第２判定部２３のオペアンプは、入力部に「Ｈ」の信号電圧がかかれば、出力部で「Ｈ」の信号電圧を出力するものであるが、ここでは、入力部に「Ｌ」の信号電圧がかかるので、出力部で「Ｌ」の信号電圧を出力する。
【０１２０】
また、第２判定部２３は「Ｌ」の信号電圧を出力するので、第３トランジスタ２４は作動せず、さらには第４トランジスタ２５も作動しない。
【０１２１】
また、第４トランジスタ２５が作動しないので、第４トランジスタ２５に接続された報知電圧発生回路２６も作動せず、当然ながら報知電圧（第３の電圧）も発生しなくなる。
【０１２２】
また、第２トランジスタ２２や発振回路１３が作動しているので、発振回路１３に接続された衝撃電圧発生回路１４にも電圧が印加されて衝撃電圧発生回路１４は作動し、第１の電圧が発生する。
【０１２３】
そして、出力変圧器１５を通って出力端子１６に、１万Ｖの第１の電圧（１．１秒／１回）がかかり、柵線３１にも第１の電圧が印加される。
【０１２４】
また、出力変圧器１５から流れてきた電気の電圧は、保護回路２９で一旦下げられる。そして、下げられた電圧は、増幅回路３０で１０Ｖ前後に戻される。次に、１０Ｖ前後に戻された電圧（１．１秒／１回）は、第２の信号延長部１８にかかる。
【０１２５】
また、第２の信号延長部１８において、電圧がかかる時間が０．２秒間延長され、充放電回路１９の入力部には、１．１秒のうち、始めの０．２秒間は１０Ｖ前後の電圧がかかるので、第５抵抗器Ｒ５を通して０．２秒間はコンデンサ１９Ａに充電される。
なお、ダイオードの向きにより、第６抵抗器Ｒ６を通ってのコンデンサ１９Ａへの充電はない。
【０１２６】
次に、充放電回路１９の入力部には、０．２秒を過ぎてからの０．９秒間は電圧がかからないので、充放電回路１９の入力部は、０．９秒間、０Ｖである。
すると、コンデンサ１９Ａに充電された電気は、電位差により０Ｖである入力部へと一気に放電される。放電の経路は、第５抵抗器Ｒ５と第６抵抗器Ｒ６を通る経路である。
【０１２７】
一気に放電されることにより、充放電回路１９で電圧が第１判定部２０の基準値（８Ｖ）を超えることはない。この後の流れは、前述のとおりである。
【０１２８】
一方、第１の電圧が、柵線３１を通して引掛け部１０にかかる。
また、第１抵抗器Ｒ１及び第２抵抗器Ｒ２は、サージアブソーバ９に並列に接続されているので、サージアブソーバ９と分圧とにより、第１の信号延長部８の基準値（４．５Ｖ）を超える電圧が、第２抵抗器Ｒ２に１．１秒に１回かかる。
【０１２９】
また、第１の信号延長部８において、第１の信号延長部８の基準値（４．５Ｖ）を超える電圧がかかる時間が０．３秒延長される。
そして、延長された０．３秒間、ブザー３が発音し、０．８秒間、非発音となる。このような断続音が、告知器２の電源スイッチ７を「オフ」にした状態で、引掛け部１０を柵線３１に接続している間、繰り返される。
【０１３０】
このように、告知器２が第２の電圧を発生しなくなると、第３の電圧も発生しなくなり、第１の電圧のみ発生した状態が続く。
また、告知器２のブザー３が発する音が、連続音から断続音に変化するので、柵線３１に再び第１の電圧が印加されたことが判る。そして、野生動物が柵外から柵内に侵入できないので、人は安心して柵内で作業を行なうことができる。
【０１３１】
その後、告知器２の引掛け部１０を柵線３１から取外す。
すると、告知器２の引掛け部１０は柵線３１に接続されていないので、第１抵抗器Ｒ１及び第２抵抗器Ｒ２に電圧がかからない。よって、第１の信号延長部８及びブザー３にも電圧がかからず、ブザー３は作動しない。
また、告知器２の電源スイッチ７を「オフ」にしているので、ＬＥＤ４も消灯している。
このときの回路は、図１に示す回路と同じである。
【０１３２】
従って、ブザー３の断続音を発するための電気の消耗を無くすことができ、また、告知器２を柵線３１から取外しても柵線３１には第１の電圧が印加され続けているので、人は安心して柵内で作業を行なうことができる。
【０１３３】
また、柵内での作業終了後、人が、柵外に出る場合には、告知器２の引掛け部１０を柵線３１に接続して告知器２の電源スイッチ７を「オン」にする。
そして、人が柵外に出て、電気柵から去る場合には、告知器２の電源スイッチ７を「オフ」にして引掛け部１０を柵線３１から取外し、告知器２を持って去ればよい。
【０１３４】
ここで、本発明の電気柵が、所定領域の周囲に形成された導電部材と、導電部材と電気的に接続されると共に、導電部材に第１の電圧を印加する第１の電圧発生回路と、導電部材と電気的に接続されると共に、第１の電圧よりも低い電圧値を有する第２の電圧が導電部材に印加された場合に第１の電圧よりも低い電圧値を有する第３の電圧を導電部材に印加する第３の電圧発生回路と、導電部材に着脱可能にかつ電気的に接続されると共に、第１の電圧が印加された導電部材に接続された場合に告知する第１の告知手段と、第２の電圧を発生可能な第２の電圧発生手段と、第２の電圧発生手段が第２の電圧を発生させた場合に告知する第２の告知手段とを有する告知器とを備えるのであれば、必ずしも第１の告知手段がブザーでなくてもよく、また、必ずしも第２の告知手段がＬＥＤでなくてもよい。
【０１３５】
例えば、第１の告知手段がＬＥＤであり、第２の告知手段がブザーであるものとすることができる。
しかし、ＬＥＤでは発光を見落としてしまうこともあり、第１の告知手段がブザーであれば、ＬＥＤよりも、人に、第１の電圧が導電部材に印加されていることを気付かせやすいので好ましい。
【０１３６】
また、例えば、第１の告知手段と第２の告知手段のどちらもブザーとすることもできるし、第１の告知手段と第２の告知手段のどちらもＬＥＤとすることもできる。
【０１３７】
即ち、第１の電圧が印加された導電部材に接続された場合も、第２の電圧発生手段が第２の電圧を発生させた場合も、さらに第３の電圧が導電部材に印加された場合も、ブザーが告知することができ、若しくは、ＬＥＤが告知することができる。
このとき、第１の電圧が印加された導電部材に接続された場合と、第２の電圧発生手段が第２の電圧を発生させた場合と、第３の電圧が導電部材に印加された場合とで、互いにブザーの音の種類を異ならせたり、ＬＥＤの光の種類を異ならせたりすることができる。
【０１３８】
また、本発明の電気柵が、所定領域の周囲に形成された導電部材と、導電部材と電気的に接続されると共に、導電部材に第１の電圧を印加する第１の電圧発生回路と、導電部材と電気的に接続されると共に、第１の電圧よりも低い電圧値を有する第２の電圧が導電部材に印加された場合に第１の電圧よりも低い電圧値を有する第３の電圧を導電部材に印加する第３の電圧発生回路と、導電部材に着脱可能にかつ電気的に接続されると共に、第１の電圧が印加された導電部材に接続された場合に告知する第１の告知手段と、第２の電圧を発生可能な第２の電圧発生手段と、第２の電圧発生手段が第２の電圧を発生させた場合に告知する第２の告知手段とを有する告知器とを備えるのであれば、必ずしも、第３の電圧が導電部材に印加された場合も第１の告知手段が告知しなくてもよい。
【０１３９】
例えば、告知器は、第１の告知手段とは別に、第３の電圧が導電部材に印加された場合に告知する第３の告知手段を有していてもよい。
この場合、例えば、第１の告知手段がブザーであれば、第３の告知手段はＬＥＤであり、第１の告知手段がＬＥＤであれば、第３の告知手段はブザーとなる。
【０１４０】
以上のように、本発明の電気柵は、導電部材と電気的に接続されると共に、第１の電圧よりも低い電圧値を有する第２の電圧が導電部材に印加された場合に第１の電圧よりも低い電圧値を有する第３の電圧を導電部材に印加する第３の電圧発生回路を備えるので、任意の場所で第２の電圧を印加するだけで、導電部材に印加された第１の電圧よりも低い電圧値を有する第３の電圧を導電部材に印加するので、第１の電圧よりも低い電圧値を有する第３の電圧が印加された導電部材に人が触れても、柵内に入ったり柵から出たりすることができる。
【０１４１】
また、告知器が、導電部材に着脱可能にかつ電気的に接続されるので、導電部材の所望の位置に告知器を接続することができる。
また、告知器が、第１の電圧が印加された導電部材に接続された場合に告知する第１の告知手段を有するので、導電部材に第１の電圧が印加されているかどうかを知ることができる。
【０１４２】
また、告知器が、第２の電圧を発生可能な第２の電圧発生手段を有するので、告知器を導電部材に電気的に接続させて第２の電圧を導電部材に印加し、第３の電圧発生回路に第３の電圧を導電部材に印加させることができる。
また、告知器が、第２の電圧発生手段が第２の電圧を発生させた場合に告知する第２の告知手段を有するので、第２の電圧の発生を知ることができ、延いては、告知器が導電部材に接続された状態において、導電部材に第３の電圧が印加されていることを知ることができる。
【０１４３】
よって、本発明の電気柵は、人が感電することなく所望の位置で通り抜けることができると共に、電圧状態を容易に確認できる。
従って、本発明の電気柵であれば、電気柵に囲まれた田畑に人が出入りするとき、従来の電気柵のように、わざわざゲート等の位置まで移動する必要がなく、所望の位置において告知器で導電部材（柵線）に第２の電圧を印加するだけで、その場所で感電することなく、また、導電部材（柵線）にかかる電圧状態を容易に確認できるので安心して、電気柵に囲まれた田畑に出入りすることができる。
【０１４４】
よって、本発明の電気柵は、田畑の除草や施肥などの管理を安全かつ容易にし、そして短時間で行なうことができて時間と労力を大幅に軽減することができ、農業経営上著しく有益である。
【符号の説明】
【０１４５】
１    電気柵
２    告知器
３    ブザー
４    ＬＥＤ
５    停止命令電圧発生回路
６    電源
７    電源スイッチ
８    第１の信号延長部
９    サージアブソーバ
１０    引掛け部
１１    接地部
１２    電源装置
１３    発振回路
１４    衝撃電圧発生回路
１５    出力変圧器
１５Ａ  二次巻線の巻終わり
１５Ｂ  二次巻線の巻始め
１６    出力端子
１７    サージアブソーバ
１８    第２の信号延長部
１９    充放電回路
１９Ａ  コンデンサ
２０    第１判定部
２１    第１トランジスタ
２２    第２トランジスタ
２３    第２判定部
２４    第３トランジスタ
２５    第４トランジスタ
２６    報知電圧発生回路
２７    電源
２８    電源スイッチ
２９    保護回路
３０    増幅回路
３１    柵線
Ｒ１  第１抵抗器
Ｒ２  第２抵抗器
Ｒ３  第３抵抗器
Ｒ４  第４抵抗器
Ｒ５  第５抵抗器
Ｒ６  第６抵抗器
【図１】
2013042746.tif 000003
【図２】
2013042746.tif 000004
【図３】
2013042746.tif 000005
【図４】
2013042746.tif 000006
【図５】
2013042746.tif 000007
【図６】
2013042746.tif 000008
【図７】
2013042746.tif 000009
【図８】
2013042746.tif 000010
【図９】
2013042746.tif 000011
【図１０】
2013042746.tif 000012